(57)【要約】      （修正有）【課題】同期の精度の劣化を防ぎつつ同期確立までに要する時間を抑制することができる無線通信装置、同期方法及びプログラムを提供する。【解決手段】無線通信装置は、相関度合取得部１１０と、得点付与部１１３と、同期検出部１１４とを有する。相関度合取得部１１０は、受信信号と予め定められたフレーム同期ワードとの相関度合いを取得する。得点付与部１１３は、複数の閾値を用い、相関度合取得部１１０により取得された相関度合いが、いずれかの閾値に達しているか否かを判定し、閾値に達している場合に、閾値に応じた得点を付与する。同期検出部１１４は、予め定められた期間内において得点付与部１１３により付与された得点の累積点数が予め定められた点数に達したタイミングを、受信信号に含まれるフレーム同期ワードが検出されたタイミングとして用いる。【選択図】図２
2016100851.tif 000002
【特許請求の範囲】
【請求項１】
受信信号と予め定められたフレーム同期ワードとの相関度合いを取得する相関度合取得手段と、
複数の閾値を用い、前記相関度合取得手段により取得された相関度合いが、いずれかの前記閾値に達しているか否かを判定し、前記閾値に達している場合に、前記閾値に応じた得点を付与する得点付与手段と、
予め定められた期間内において前記得点付与手段により付与された得点の累積点数が予め定められた点数に達したタイミングを、前記受信信号に含まれるフレーム同期ワードが検出されたタイミングとして用いる同期検出手段と
を有する無線通信装置。
【請求項２】
前記同期検出手段は、前記予め定められた期間内において予め定められた下限値以下の得点が連続して予め定められた回数以上付与されていない場合に、前記予め定められた期間内において付与された得点の累積点数が前記予め定められた点数に達したタイミングを、前記受信信号に含まれるフレーム同期ワードが検出されたタイミングとして用いる
請求項１に記載の無線通信装置。
【請求項３】
前記得点付与手段が付与する前記複数の閾値ごとの得点を変更する得点変更手段
をさらに有する請求項１又は２に記載の無線通信装置。
【請求項４】
前記予め定められた期間の長さを変更する期間変更手段
をさらに有する１〜３の何れか１項に記載の無線通信装置。
【請求項５】
受信信号と予め定められたフレーム同期ワードとの相関度合いを取得し、
複数の閾値を用い、取得された相関度合いが、いずれかの前記閾値に達しているか否かを判定し、
前記閾値に達している場合に、前記閾値に応じた得点を付与し、
予め定められた期間内において付与された得点の累積点数が予め定められた点数に達したタイミングを、前記受信信号に含まれるフレーム同期ワードが検出されたタイミングとして用いる
同期方法。
【請求項６】
前記予め定められた期間内において予め定められた下限値以下の得点が連続して予め定められた回数以上付与されていない場合に、前記予め定められた期間内において付与された得点の累積点数が前記予め定められた点数に達したタイミングを、前記受信信号に含まれるフレーム同期ワードが検出されたタイミングとして用いる
請求項５に記載の同期方法。
【請求項７】
受信信号と予め定められたフレーム同期ワードとの相関度合いを取得する相関度合取得ステップと、
複数の閾値を用い、前記相関度合取得ステップで取得された相関度合いが、いずれかの前記閾値に達しているか否かを判定し、前記閾値に達している場合に、前記閾値に応じた得点を付与する得点付与ステップと、
予め定められた期間内において前記得点付与ステップで付与された得点の累積点数が予め定められた点数に達したタイミングを、前記受信信号に含まれるフレーム同期ワードが検出されたタイミングとして用いる同期検出ステップと
をコンピュータに実行させるプログラム。
【請求項８】
前記同期検出ステップは、前記予め定められた期間内において予め定められた下限値以下の得点が連続して予め定められた回数以上付与されていない場合に、前記予め定められた期間内において付与された得点の累積点数が前記予め定められた点数に達したタイミングを、前記受信信号に含まれるフレーム同期ワードが検出されたタイミングとして用いる
請求項７に記載のプログラム。
【請求項９】
前記得点付与ステップで付与される前記複数の閾値ごとの得点を変更する得点変更ステップ
をさらに前記コンピュータに実行させる請求項７に記載のプログラム。
【請求項１０】
前記予め定められた期間の長さを変更する期間変更ステップ
をさらに前記コンピュータに実行させる請求項７又は８に記載のプログラム。
【発明の詳細な説明】
【技術分野】
【０００１】
本発明は無線通信装置、同期方法及びプログラムに関する。
【背景技術】
【０００２】
無線通信における同期を実現する方法として、フレーム同期ワードを用いる同期が知られている。例えば、特許文献１では、予め定められたパターンと受信信号の相関値を演算し、相関値が閾値を超えたか否かにより同期タイミングを検出している。なお、特許文献１では、フレーム同期ワードの誤検出を防ぐために、複数の閾値を設ける方法について開示している。
【先行技術文献】
【特許文献】
【０００３】
【特許文献１】特開２００４−３４９７５７号公報
【発明の概要】
【発明が解決しようとする課題】
【０００４】
このように、フレーム同期ワードの誤検出を防ぐことが求められている一方、同期が確立するまでにかかる時間を抑制することも重要である。
【０００５】
本発明の目的は、同期の精度の劣化を防ぎつつ同期確立までに要する時間を抑制することができる無線通信装置、同期方法及びプログラムを提供することにある。
【課題を解決するための手段】
【０００６】
そこで、本発明は、受信信号と予め定められたフレーム同期ワードとの相関度合いを取得する相関度合取得手段と、複数の閾値を用い、前記相関度合取得手段により取得された相関度合いが、いずれかの前記閾値に達しているか否かを判定し、前記閾値に達している場合に、前記閾値に応じた得点を付与する得点付与手段と、予め定められた期間内において前記得点付与手段により付与された得点の累積点数が予め定められた点数に達したタイミングを、前記受信信号に含まれるフレーム同期ワードが検出されたタイミングとして用いる同期検出手段とを有する無線通信装置を提供する。
【０００７】
また、本発明は、受信信号と予め定められたフレーム同期ワードとの相関度合いを取得し、複数の閾値を用い、取得された相関度合いが、いずれかの前記閾値に達しているか否かを判定し、前記閾値に達している場合に、前記閾値に応じた得点を付与し、予め定められた期間内において付与された得点の累積点数が予め定められた点数に達したタイミングを、前記受信信号に含まれるフレーム同期ワードが検出されたタイミングとして用いる同期方法を提供する。
【０００８】
また、本発明は、受信信号と予め定められたフレーム同期ワードとの相関度合いを取得する相関度合取得ステップと、複数の閾値を用い、前記相関度合取得ステップで取得された相関度合いが、いずれかの前記閾値に達しているか否かを判定し、前記閾値に達している場合に、前記閾値に応じた得点を付与する得点付与ステップと、予め定められた期間内において前記得点付与ステップで付与された得点の累積点数が予め定められた点数に達したタイミングを、前記受信信号に含まれるフレーム同期ワードが検出されたタイミングとして用いる同期検出ステップとをコンピュータに実行させるプログラムを提供する。
【発明の効果】
【０００９】
本発明によれば、同期の精度の劣化を防ぎつつ同期確立までに要する時間を抑制することができる無線通信装置、同期方法及びプログラムを提供することができる。
【図面の簡単な説明】
【００１０】
【図１】図１は、実施の形態１にかかる無線通信装置の構成を示すブロック図である。
【図２】図２は、実施の形態１にかかる同期部の機能構成の一例を示すブロック図である。
【図３】図３は、閾値に対応付けられた得点の一例を示す表である。
【図４】図４は、実施の形態１にかかる同期部による同期処理の具体例を示す模式図である。
【図５】図５は、実施の形態１にかかる同期部による同期処理の具体例を示す模式図である。
【図６】図６は、実施の形態１にかかる同期部による同期処理の具体例を示す模式図である。
【図７】図７は、実施の形態１にかかる同期部による同期処理の具体例を示す模式図である。
【図８】図８は、実施の形態１にかかる同期部による同期処理の一例を示すフローチャートである。
【図９】図９は、実施の形態２にかかる同期部による同期処理の一例を示すフローチャートである。
【図１０】図１０は、事前の検討にかかるフレーム同期ワードの検出の一例を示す模式図である。
【図１１】図１１は、事前の検討にかかるフレーム同期ワードの検出の一例を示す模式図である。
【図１２】図１２は、事前の検討にかかるフレーム同期ワードの検出の一例を示す模式図である。
【発明を実施するための形態】
【００１１】
実施の形態の説明をする前に、発明者が事前に検討した内容について説明する。
受信信号と予め定められたパターンとの相関度合いが閾値を超えた場合に、フレーム同期ワード（FSW: Frame Synchronization Word）を検出したものとして同期を確立する同期確立方法においては、次のような特徴がある。フレーム同期ワードの検出のための閾値は、大きいほど、フレーム同期ワードを検出しづらくなる。一方で、フレーム同期ワードの検出のための閾値は、小さいほど、受信電界強度が弱い場合に誤検出が増えてしまう。このような誤検出は、例えばノイズを含んだ信号を受信した場合に発生する。
【００１２】
ここで、複数のフレームで連続して相関度合いが閾値を超えた場合にフレーム同期ワードの検出とすることにより誤検出は抑制されるものの、複数フレームで閾値を超える必要があるため、その分、同期確立までに時間を要してしまう。
【００１３】
以下、図を参照して、具体的に説明する。図１０は、相関度合いが閾値を１回超えたときに、フレーム同期ワードの検出と判定して同期を確立する場合の一例を示す模式図である。例えば、受信レベルが弱い信号を受信した場合には、相関度合いはノイズに反応して大きく変動する。その際、図１０に示されるように、相関度合いが誤って閾値を超えることが想定される。このような場合において、相関度合いが１回閾値超えたときにフレーム同期ワードの検出と判定して同期を確立すると、正しくフレーム同期ワードの検出が行われていないため、フレーム同期ワードの検出タイミングでシンボルの検出を行っても正常なデータが得られない。
【００１４】
したがって、例えば、１回目の閾値越えから１フレーム後のタイミングで再び閾値越えとなった場合にフレーム同期ワードを検出したと判定して同期を確立することにより、誤同期による無駄な受信処理が防がれることとなる。しかしながら、このように複数のフレームにわたる閾値越えをフレーム同期ワードの検出の判定条件としてしまうと、誤同期は抑制されるものの同期確立までに時間を要することとなる。
【００１５】
図１１は、相関度合いが２回連続して閾値を超えたときに、フレーム同期ワードの検出と判定して同期を確立する場合の一例を示す模式図である。例えば、受信レベルが強い信号を受信した場合に、相関度合いが閾値を超えるのを２フレーム分待ってから同期を確立すると、閾値を１回超えた時点で同期を確立する場合に比べて１フレーム分のデータをロスすることになる。このため、例えば、受信音声の出力までに時間を要してしまう。
【００１６】
ところで、フレーム同期ワードの誤検出を防ぐ方法としては、上記のように複数回の閾値越えを要求する代わりに、閾値を厳しくすることも考えられる。図１２は、相関度合いが閾値を１回超えたときにフレーム同期ワードの検出と判定して同期を確立するものの、閾値を図１０に示した例よりも厳しくした場合の一例を示す模式図である。例えば、受信レベルが弱い信号を受信した場合に、フレーム同期ワードを受信したタイミングでも相関度合いは閾値を超えないことが想定される。このように、閾値を厳しくすると同期確立が困難になりうる。
【００１７】
以上まとめると、フレーム同期ワードの検出による同期確立においては、次のことがいえる。フレーム同期ワードを検出したと判定するまでに必要とされる閾値越えの回数が多くなるほど、誤同期は少なくなるが、同期確立までに時間を多く必要とする。これに対し、フレーム同期ワードを検出したと判定するまでに必要とされる閾値越えの回数が少なくなるほど、誤同期は発生しやすくなるが、同期確立までの時間を短くすることができる。また、閾値を厳しくするほど、誤同期は少なくなるが同期を確立しにくくなる。閾値を緩くするほど、誤同期は発生しやすくなるが、同期を確立しやすくなる。なお、フレーム同期ワードのデータ長を長くすることにより、誤同期は発生しにくくなるが、フレーム同期ワードのデータ長は、通信方式に依存するため、変更することが難しい。
【００１８】
実施の形態１
以下、図面を参照して本発明の実施の形態について説明する。無線通信装置１は、基地局又は他の無線通信装置との間で、無線周波数（RF: Radio Frequency）信号を送受信し、音声通話又はデータ通信などの無線通信を行う。ここで、ＲＦ信号により伝送されるデジタルデータは、予め定められたフレーム構造を有している。各フレームは、フレーム同期ワードを含んでいる。無線通信装置１は、このフレーム同期ワードを検出することにより通信の同期を確立する。
【００１９】
図１は、無線通信装置１の構成を示すブロック図である。無線通信装置１は、受信処理部１０、同期部１１、シンボル検出処理部１２及びデコード処理部１３を含む。図１に示される各構成は、電気回路により実現されてもよいし、無線通信装置１に含まれる図示しないメモリに格納されているプログラムを無線通信装置１に含まれる図示しないＣＰＵが実行することによって実現されてもよい。
【００２０】
受信処理部１０は、受信したＲＦ信号からベースバンド信号を取得する。受信処理部１０は、例えば、図示しないアンテナにより受信したＲＦ信号に対し低雑音増幅や周波数変換などを行った後、予め定められたデジタル復調処理を行って、ベースバンド信号を取得する。なお、受信処理部１０によるベースバンド信号の取得方法は、これに限られず、種々の方法が適用できる。例えば、デジタル復調処理においては、ルートナイキストフィルタを用いて処理が行われてもよい。以下、受信したＲＦ信号又はＲＦ信号から取得されたベースバンド信号を単に、受信信号ということがある。
【００２１】
同期部１１は、受信信号におけるフレーム同期ワードを検出し、検出したタイミングに基づいて、通信の同期を確立する。具体的には、同期部１１は、受信処理部１０により取得されたベースバンド信号にフレーム同期ワードが存在するかを確認する。そして、同期部１１は、後述する予め定められた条件を満たした場合に、フレーム同期ワードを検出したと判断し、当該検出タイミングをシンボル検出処理部１２に通知する。なお、同期部１１の詳細な構成については、後述する。
【００２２】
シンボル検出処理部１２は、同期部１１から通知されたタイミングを基準として、予め定められたレートで、ベースバンド信号からシンボル検出を行い、ビットデータを取得する。なお、予め定められたレートとは、例えば、通信規格などによりに予め定められた通信速度である。シンボル検出処理部１２は、ビットデータをデコード処理部１３に出力する。
【００２３】
デコード処理部１３は、シンボル検出処理部１２が出力したビットデータを予め定められたデータサイズとなるまで蓄積し、蓄積したビットデータに対してＦＥＣ（Forward Error Correction：前方誤り訂正）デコード処理などのデコード処理を行ってデコードデータを取得する。無線通信装置１の図示しない処理部は、デコード処理部１３により取得されたデコードデータの内容にしたがって、動作を行う。例えば、無線通信装置１は、デコードデータの内容にしたがって、図示しないスピーカを用いて受信した音声の出力を行う。
【００２４】
次に、同期部１１の詳細について説明する。図２は、同期部１１の機能構成の一例を示すブロック図である。同期部１１は、相関度合取得部１１０と、フレームメモリ１１１と、フレーム同期ワード格納部１１２と、得点付与部１１３と、同期検出部１１４と、得点変更部１１５と、期間変更部１１６とを有する。なお、図２に示される構成の一部又は全ては、プログラムをＣＰＵが実行することによって実現されてもよいし、電気回路により実現されてもよい。
【００２５】
相関度合取得部１１０は、受信信号と予め定められたフレーム同期ワードとの相関度合いを取得する。相関度合取得部１１０は、具体的には、例えば次のようにして、相関度合いを取得する。受信処理部１０が、予め定められたサンプリングレートによりサンプリングを行い、ベースバンド信号をデジタル化して相関度合取得部１１０に出力する。相関度合取得部１１０は、ベースバンド信号がデジタル化されたデジタルデータをフレームメモリ１１１に格納する。フレームメモリ１１１は、生成されたデジタルデータを、例えばＦＩＦＯ（First In First Out）方式によって一時的に格納する。そして、相関度合取得部１１０は、フレームメモリ１１１に格納されたデジタルデータと、フレーム同期ワード格納部１１２に格納されているデータの相関度合いを算出する。ここで、フレーム同期ワード格納部１１２は、フレーム同期ワードを表すデータを、予め格納しているメモリである。このように、相関度合取得部１１０は、受信信号に対して、逐次、フレーム同期ワードとの相関度合いを算出している。
【００２６】
相関度合取得部１１０は、例えば、以下の式（１）に基づいて相関度合いとして相関値Ｃを算出するが、相関度合取得部１１０は受信信号とフレーム同期ワードとの相関度合いを取得すればよく、式（１）による相関値に限られない。
【００２７】
【数１】
2016100851.tif 000003
【００２８】
なお、式（１）においては、フレーム同期ワードのシンボル数をｎ＋１、フレーム同期ワードのデータをｓ０〜ｓｎ、ベースバンド信号における受信時点から過去に数シンボルまで遡ったサンプリングデータをａ０〜ａｎとしている。
【００２９】
得点付与部１１３は、複数の閾値を用い、相関度合取得部１１０により取得された相関度合いが、いずれかの閾値に達しているか否かを判定し、閾値に達している場合に、閾値に応じた得点を付与する。得点付与部１１３は、例えば、フレーム間隔ごとに、相関度合取得部１１０により取得された１フレーム分の相関度合いの最大値が閾値に達しているか否かを判定する。ここで、得点付与部１１３は、上述の通り、複数の閾値を用いる。各閾値は、それぞれ閾値に応じた得点が対応付けられている。具体的には、閾値が厳しくなるほど、高い得点が閾値に対応付けられている。
【００３０】
図３は、閾値に対応付けられた得点の一例を示す表である。図３では、第１の閾値、第２の閾値及び第３の閾値の３つの閾値が用いられる場合について例示している。ここで、第１の閾値は、図３に示される閾値レベル１に相当する。閾値レベル２は、図３に示される閾値レベル２に相当する。閾値レベル３は、図３に示される閾値レベル３に相当する。図３に示した例では、第１の閾値、第２の閾値、第３の閾値の順に閾値の値が大きくなっている。この例では、相関値が第１の閾値以上第２の閾値未満の場合、１点が得点付与部１１３に付与される。また、相関値が第２の閾値以上第３の閾値未満の場合、４点が得点付与部１１３に付与される。また、相関値が第３の閾値以上の場合、６点が得点付与部１１３に付与される。これに対し、相関値が第１の閾値未満の場合、図中の閾値レベル０に相当し、０点が付与される。なお、後述する通り、閾値に対応付けられる得点は、得点変更部１１５により変更することができる。また、図３に示した例では、レベル数は４つであるが、これに限られない。
【００３１】
同期検出部１１４は、受信信号に含まれるフレーム同期ワードを検出し、検出したタイミングをシンボル検出処理部１２に通知する。ここで、同期検出部１１４は、予め定められた期間内において得点付与部１１３により付与された得点の累積点数が予め定められた点数に達したタイミングを、受信信号に含まれるフレーム同期ワードが検出されたタイミングとして用いる。
【００３２】
例えば、予め定められた期間が３フレーム分に相当する時間である場合、すなわち予め定められた期間が得点の付与が３回行われる間の時間である場合、同期検出部１１４は、直近の３回の得点付与による累積点数が予め定められた点数に達したか否かを判定する。この場合、同期検出部１１４は、この累積点数が予め定められた点数に達している場合、予め定められた点数に達したタイミングを受信信号に含まれるフレーム同期ワードが検出されたタイミングとして用いる。より具体的には、同期検出部１１４は、この累積点数が予め定められた点数に達している場合、相関度合いの最大値を検出したタイミングを受信信号に含まれるフレーム同期ワードが検出されたタイミングとして用いる。
【００３３】
得点変更部１１５は、得点付与部１１３が付与する複数の閾値ごとの得点を変更する。例えば、得点変更部１１５は、図示しないユーザインタフェース等を介した指示情報を受付け、この指示情報にしたがった得点を閾値ごとに設定する。
【００３４】
期間変更部１１６は、同期検出部１１４における上述の予め定められた期間の長さを変更する。例えば、得点変更部１１５は、図示しないユーザインタフェース等を介した指示情報を受付け、この指示情報にしたがった期間を得点の累積期間として設定する。
【００３５】
図４〜７を参照して、同期部１１による同期処理の具体例を示す模式図である。ここでは、図３に示される得点が得点付与部１１３により付与されるものとして説明する。また、同期検出部１１４は、直近の３回の得点の累積値が６点以上である場合に、フレーム同期ワードが検出されたと判定するものとする。なお、ここでの６点が、上述の予め定められた点数に相当する。
【００３６】
図４は、受信レベルが強い場合の一例を示している。このような場合には、図４に示されるように、例えば閾値に１回達した時点で、すなわち１回の得点付与がなされた時点で、同期検出部１１４がフレーム同期ワードを検出したと判定することが期待される。このため、１フレーム目から同期が確立され、１番目のフレームの受信内容がデコードされる。
【００３７】
図５は、受信レベルが図４による例よりも弱い中程度である場合の同期処理の一例を示している。このような場合には、図５に示されるように、例えば閾値に２回達した時点で、すなわち２回の得点付与がなされた時点で、同期検出部１１４がフレーム同期ワードを検出したと判定することが期待される。このため、２番目のフレームから同期が確立され、２番目のフレーム以降の受信内容がデコードされる。したがって、図４に示した例に比べ同期確立が遅くなるものの、受信レベルの低さによる誤同期を防ぎつつ同期の確立が実現される。
【００３８】
図６は、受信レベルが図５による例よりもさらに弱い場合の同期処理の一例を示している。このような場合には、図６に示されるように、例えば閾値に３回達した時点で、すなわち３回の得点付与がなされた時点で、同期検出部１１４がフレーム同期ワードを検出したと判定することが期待される。このため、３番目のフレームから同期が確立され、３番目のフレーム以降の受信内容がデコードされる。したがって、図５に示した例に比べ同期確立が遅くなるものの、受信レベルの低さによる誤同期を防ぎつつ同期の確立が実現される。
【００３９】
図７は、受信レベルが図６による例よりもさらに弱い微弱程度である場合の同期処理の一例を示している。このような場合には、図７に示されるように、累積の得点が予め定められた点数（この例では６点）に達することがなく、同期が確立されない。このため、誤同期の発生が防がれる。
【００４０】
このように、本実施形態にかかる無線通信装置１では、受信レベルに応じてフレーム同期確立までの時間が変化する。このため、無線通信装置１は、受信レベルが強ければ強いほど短い時間で同期を確立することができ、同期が確立するまでの間に破棄されるフレーム数を抑制することができる。このため、例えば、受信音声出力までの時間を短縮することが可能になる。これに対し、無線通信装置１は、受信レベルが弱ければ弱いほど、フレーム同期確立の判定に時間をかけることとなる。このため、正確性が増して、ノイズによる誤同期を軽減することができる。
【００４１】
次に、同期部１１による同期処理の動作の流れについて説明する。図８は、同期部１１による同期処理の一例を示すフローチャートである。
【００４２】
ステップ１０（Ｓ１０）において、相関度合取得部１１０は、受信信号と予め定められたフレーム同期ワードとの相関度合いを取得する。
【００４３】
ステップ１１（Ｓ１１）において、得点付与部１１３は、ステップ１０で取得された１フレーム分の相関度合いの最大値が、閾値以上であるか否かを判定する。ステップ１１において、相関度合いがいずれかの閾値以上であると判定された場合、処理は、ステップ１２に移行する。これに対し、ステップ１１において、相関度合いが閾値未満であると判定された場合、処理は、ステップ１３に移行する。
【００４４】
ステップ１２（Ｓ１２）において、得点付与部１１３は、閾値に対応する得点を付与する。相関度合いが、複数の閾値に達している場合には、各閾値に対応する得点のうち最大の得点が付与される。すなわち、得点付与部１１３は、より厳しい閾値に対応した得点を付与する。なお、得点の付与は、例えば、得点付与部１１３が、付与する得点の値を図示しないメモリ等に一時記憶することで実現される。
【００４５】
ステップ１３（Ｓ１３）において、同期検出部１１４は、直近の予め定められた期間内の累積点数が予め定められた点数に達したか否かを判定する。累積点数が予め定められた点数に達した場合には、処理は、ステップ１４に移行する。これに対し、累積点数が予め定められた点数に達していない場合には、処理は、ステップ１０に戻る。
【００４６】
ステップ１４（Ｓ１４）において、同期検出部１１４は、フレーム同期ワードを検出したと判定し、フレーム同期ワードが検出されたタイミングをシンボル検出処理部１２に通知する。これにより、同期タイミングが決定される。
【００４７】
実施の形態２
次に、本発明の実施の形態２について説明する。実施の形態１では、予め定められた期間内の累積得点が予め定められた得点に達することのみを、フレーム同期ワードを検出したか否かの判定条件としているが、判定条件は種々の変更が可能である。本実施の形態では、フレーム同期ワードを検出したと判定するに際し、さらに、この予め定められた期間内において予め定められた下限値以下の得点が連続して予め定められた回数以上付与されていないことを要求する。なお、本実施の形態は、同期検出部１１４によるフレーム同期ワードの検出における判定条件が変更される点を除き、実施の形態１と同様である。よって、重複する説明は割愛する。
【００４８】
上述の通り、本実施の形態にかかる同期検出部１１４は、予め定められた期間内において予め定められた下限値以下の得点が連続して予め定められた回数以上付与されていない場合に、フレーム同期ワードを検出したと判定する。つまり、本実施の形態にかかる同期検出部１１４は、このような場合に限って、予め定められた期間内において付与された得点の累積点数が予め定められた点数に達したタイミングを、受信信号に含まれるフレーム同期ワードが検出されたタイミングとして用いる。ここで、予め定められた回数は、１回でもよいし、複数回であってもよい。
【００４９】
本実施の形態にかかる同期部１１による同期処理の動作の流れについて説明する。図９は、実施の形態２にかかる同期部１１による同期処理の一例を示すフローチャートである。なお、図９に示されるフローチャートでは、図８に示されるフローチャートにステップ２０が追加されている。なお、図８に示したフローチャートでは、ステップ１３において累積点数が予め定められた点数に達したと判定されると、ステップ１４に移行したが、図９に示したフローチャートでは、ステップ１３において累積点数が予め定められた点数に達したと判定されると、ステップ２０に移行する。
【００５０】
ステップ２０（Ｓ２０）では、同期検出部１１４は、下限値についての基準を満たすか否かを判定する。具体的には、同期検出部１１４は、直近の予め定められた期間内において予め定められた下限値以下の得点が連続して予め定められた回数以上付与されていないかどうかを判定する。直近の予め定められた期間内において予め定められた下限値以下の得点が連続して予め定められた回数以上付与されている場合、処理はステップ１０に戻る。これに対し、直近の予め定められた期間内において予め定められた下限値以下の得点が連続して予め定められた回数以上付与されていない場合、処理はステップ１４へ移行する。
【００５１】
このように、本実施の形態では、累積点数のみならず、累積の際の途中経過についても、フレーム同期ワード検出のための条件としている。これにより、実施の形態１に比べてさらに、フレーム同期ワードの誤検出を抑制することが期待される。なお、図９に示したフローチャートでは、ステップ１３の後にステップ２０を行うものとして説明しているが、ステップ２０の後にステップ１３を行ってもよい。
【００５２】
以上、本発明の実施の形態について説明したが、本発明は上記実施の形態に限られたものではなく、趣旨を逸脱しない範囲で適宜変更することが可能である。
【００５３】
また、無線通信装置１のいずれかの構成をプログラムの実行により実現する場合、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５４】
１      無線通信装置
１０      受信処理部
１１      同期部
１２      シンボル検出処理部
１３      デコード処理部
１１０      相関度合取得部
１１１      フレームメモリ
１１２      フレーム同期ワード格納部
１１３      得点付与部
１１４      同期検出部
１１５      得点変更部
１１６      期間変更部
【図１】
2016100851.tif 000004
【図２】
2016100851.tif 000005
【図３】
2016100851.tif 000006
【図４】
2016100851.tif 000007
【図５】
2016100851.tif 000008
【図６】
2016100851.tif 000009
【図７】
2016100851.tif 000010
【図８】
2016100851.tif 000011
【図９】
2016100851.tif 000012
【図１０】
2016100851.tif 000013
【図１１】
2016100851.tif 000014
【図１２】
2016100851.tif 000015